(57)【特許請求の範囲】
【請求項１】
バックアップリングおよびＯリングをアダプタのグランド内に挿入するためのインサート工具であって、
前記バックアップリングおよび前記Ｏリングを収容する溝、先端チップ、前記溝の前方に配置され前記先端チップ上に形成されるスロット、及び前記溝の後方にあって前記スロットから離間したチャネルを有する本体と、
前記チャネルの前方にあって、前記溝に隣接して前記本体上に配置される保護スリーブと、
前記本体に移動可能に取り付けられ、第１、第２方向に移動可能で、前記チャネル内に配置される１つのプッシャーとを含み、
前記プッシャーは、
（1）該プッシャーのシャンク先端に配置され、かつ前記溝内に収容された前記バックアップリングおよび前記Ｏリングを前記スロット内にあるフック位置から出し入れ可能に配置され、前記バックアップリングおよび前記Ｏリングの一部分を前記第１方向に引っ張って緊張させるためのフックと、
（2）前記シャンク内に設けた前記フックに対向して配置され、かつ前記バックアップリングおよび前記Ｏリングを前記第２方向に押して前記グランドに収容するための、バックアップリング／Ｏリング用の径方向側面とを有し、
前記保護スリーブは、前記アダプターへの本体の挿入時、前記本体、前記プッシャー、前記バックアップリング、および前記Ｏリングを中心合わせするように配置されていることを特徴とするインサート工具。
【請求項２】
前記第１方向は、前記グランドから離れる方向であり、前記第２方向は、前記グランドに向かう方向であることを特徴とする請求項１記載のインサート工具。
【発明の詳細な説明】
【０００１】
【発明の属する技術分野】
本発明は、一般的に、バックアップリングおよびＯリングをアダプタの溝またはグランド[gland]（パッキン押え）に挿入するためのインサート工具に関する。
【０００２】
【従来の技術】
従来のインサート工具は、バックアップリングおよびＯリングを収容しかつ位置決めするための溝を有する本体を含んでいた。この本体には、プランジャーまたはプッシャーが移動可能に取り付けられている。プッシャーは、バックアップリングおよびＯリングをはめこむことができる表面を有する。バックアップリングおよびＯリングは、使用時に本体の溝に配置される。そして、本体は、アダプタの開口に挿入される。プッシャーは、バックアップリングおよびＯリングに係合し、これらのリングをアダプタのグランドに押し込む。
【０００３】
従来のインサート工具の使用では、バックアップリングおよびＯリングが工具の使用時にアダプタの内側表面に接触するので損傷することがわかっている。この損傷は、リングの性能を弱める磨耗を含んでいる。
【０００４】
【発明が解決しようとする課題】
グランドに挿入する際にバックアップリングおよびＯリングを損傷する危険を少なくするとともに、迅速にかつ効果的な移動および一貫した反復性を備えて取り扱いを容易にした改良インサート工具が必要とされている。本発明は、この要求を満足するものである。
【０００５】
本発明の第１の目的は、バックアップリングおよびＯリングを、リングに対する損傷を無くしてかつ一貫した反復性を有して迅速にかつ容易に挿入できるようにしたインサート工具を提供することである。
【０００６】
【課題を解決するための手段】
上記目的を達成するために、本発明のインサート工具は、前記バックアップリングおよび前記Ｏリングを収容する溝、先端チップ、前記溝の前方に配置され前記先端チップ上に形成されるスロット、及び前記溝の後方にあって前記スロットから離間したチャネルを有する本体と、前記チャネルの前方にあって、前記溝に隣接して前記本体上に配置される保護スリーブと、前記本体に移動可能に取り付けられ、第１、第２方向に移動可能で、前記チャネル内に配置される1つのプッシャーとを含み、前記プッシャーは、
（1）該プッシャーのシャンク先端に配置され、かつ前記溝内に収容された前記バックアップリングおよび前記Ｏリングを前記スロット内にあるフック位置から出し入れ可能に配置され、前記バックアップリングおよび前記Ｏリングの一部分を前記第１方向に引っ張って緊張させるためのフックと、
（2）前記シャンク内に設けた前記フックに対向して配置され、かつ前記バックアップリングおよび前記Ｏリングを前記第２方向に押して前記グランドに収容するための、バックアップリング／Ｏリング用の径方向側面とを有し、
前記保護スリーブは、前記アダプターへの本体の挿入時、前記本体、前記プッシャー、前記バックアップリング、および前記Ｏリングを中心合わせするように配置されていることを特徴とする。
【０００８】
本発明の他の目的および利点は、好ましい実施形態の詳細な説明およびこれに付随する図面を参照することにより、当業者には明らかになるであろう。
【０００９】
【発明の実施の形態】
本発明の好ましい実施例およびその形態が図面を参照して以下に詳細に示される。本発明のインサート工具は、図面において、一般的に、参照番号１０で示されている。
【００１０】
図１〜図４を参照して、インサート工具１０は、頂部１４、底部１６、第１端部１８、および第２端部２０を有する円筒状の本体１２を含んでいる。第１端部１８は、平坦な外側表面２４と傾斜した内側表面２６を有する円筒状チップ（先端チップ）２２を有する。このチップ２２は、外側および内側表面２４，２６の間に伸びるスロット２８を含んでいる。
【００１１】
図４に最もよく示されているように、本体１２の第１端部１８は、首部３０を有し、この首部は、半円形の下側部分３２と平坦な上側表面３４を有する。この首部は、チップの内側表面２６と本体の平坦壁３６との間に伸びている。溝３８は、内側表面２６、首部３０、および壁３６によって形成される。
【００１２】
さらに、図１〜図４において、本体１２は、平坦な環状肩部４０を有する。環状肩部４０に隣接して円筒状の保護スリーブ４２が、本体１２に配置されている。図１および図２によく示されているように、本体１２の頂部１４は、環状肩部４０と第２端部２０との間に長手方向に伸びるチャネル４４を有する。
【００１３】
図１〜図４を参照して、インサート工具１０は、係合端部５２と作動端部５４を有するプッシャー５０を含む。このプッシャー５０は、係合端部５２と作動端部５４の間に長手方向に伸びる中央部分５６を有する。中央部分５６は、チャネル４４内で移動可能に配置され、プッシャーが、図４において矢印５８で示す第１方向に、また、図４において示すように第２方向に移動可能である。
【００１４】
図３および図４で示すように、プッシャー５０の係合端部５２は、シャンク６４、曲線部分６６および尖端６８を有するフック６２を含む。フック６２は、交換の目的のためにロールピン（図示略）によってプッシャー５０に着脱自在に取り付けられる。係合端部５２は、さらに、バックアップリング／Ｏリング用の径方向側面７０を有し、この径方向側面は、フック６２の曲線部分６６と尖端６８から離れている。図１、図３、図４に示すように、係合端部５２は、本体１２の第１端部に隣接して移動可能に配置されている。
【００１５】
図１および図２において、プッシャー５０の作動端部５４は、平坦な本体表面７４と平坦な作動表面７６を有する円筒形状部分７２を含んでいる。作動表面７６は、作動装置と連結できるようになっている。作動端部５４もまた、手動で操作できる。
【００１６】
インサート工具１０の作動および意図される使用目的は、図１〜図６を参照してなされる。図１および図２で示すように、従来のバックアップリング８０およびＯリング８２は、インサート工具１０の溝３８に配置される。図２および図４に示すように、フック６２は、曲線部分６６がＯリング８２に係合するように矢印５８で示された第１方向に動かされる。Ｏリング８２は、このときバックアップリング８０に係合する。これにより、フック６２は、図２に示すように、溝３８からバックアップリング８０およびＯリング８２の部分を引くことができる。フック６２の引く動作によって、バックアップリング８０およびＯリング８２が本体１２に対して下方側に引っ張られ緊張するようになる。
【００１７】
図５に示すように、インサート工具１０は、溝またはグランド９０を形成する内側表面８８を有する、アダプタ８６または他の受け口の開口８４に挿入される。アダプタ８６は、開口８４を取巻く端部面８７と、この端部面８７と内側表面８８の間の円形溝９２を有する。フック６２の引き動作により、バックアップリング８０およびＯリング８２は、アダプタ８６の内側表面８８から離れて配置されている。これは、バックアップリング８０およびＯリング８２が損傷することを減らす。インサート工具１０は、本体１２の環状肩部４０が端部面８７に係合するまでアダプタ８６内に挿入され、その位置において、本体１２の溝３８に配置されるバックアップリング８０およびＯリング８２の各部分は、溝９０に軸方向に整列する。プッシャー５０のフック６２によって係合したバックアップリング８０およびＯリング８２の各部分は、このとき溝９０に整合していない。円形溝９２は、端部面８７に隣接するアダプタ８６内に設けられ、保護スリーブ４２を受け入れる寸法になっている。理解できるように、保護スリーブ４２は、本体１２、プッシャー５０、バックアップリング８０、およびＯリング８２を中心合わせすると共にこれらを保護して、アタプタ８６との接触の結果としての損傷を防止し、さらに、円形溝９２との係合において中心合わせを手助けする。
【００１８】
図１および図４〜図６において、インサート工具１０は、アダプタ８６内に配置されるとき、プッシャー５０は、図４における矢印６０によって示すように、第２方向に移動する。これにより、（図５で見られるように）プッシャーにおけるバックアップリング／Ｏリング用の側面７０が、バックアップリング８０およびＯリング８２の上部部分に係合しかつ押圧されてグランド９０内に収まる。図１に示すように、フック６２は、チップ２２のスロット２８に入ることができる。矢印６０の方向へのプッシャー５０の移動は、平坦な本体表面７４が本体の第２端部２０に係合することにより制限される。バックアップリング８０およびＯリング８２の挿入が完了した後、インサート工具１０は、アダプタ８６から取り除かれる。そして、上述の作動は、繰り返すことができる。
【００１９】
本発明の上述した詳細な記載は、例示的な目的のためであり、当業者には、本発明の範囲から逸脱しないで種々の変更および修正が可能である。従って、前述の全体の記載は、説明的なものとして構成され、制限的なものではなく、本発明の範囲は、添付の請求の範囲によてのみ限定される。
【図面の簡単な説明】
【図１】  図１は、バックアップリングおよびＯリングがインサート工具とともに示されている本発明に従うインサート工具の斜視図である。
【図２】  図２は、インサート工具上に配置されたバックアップリングおよびＯリングを示す図１と同様な斜視図である。
【図３】  図３は、本発明のインサート工具の詳細な斜視図である。
【図４】  図４は、図３の線４−４に沿って見た断面図である。
【図５】  図５は、本発明のインサート工具の中心線に沿ってみた、バックアップリング、Ｏリング、およびグランドを有するアダプタの詳細な断面図である。
【図６】  図６は、グランドへのバックアップリングおよびＯリングの挿入を示す図５と同様の断面図である。
【図１】
0004465573.tif 000002
【図２】
0004465573.tif 000003
【図３】
0004465573.tif 000004
【図４】
0004465573.tif 000005
【図５】
0004465573.tif 000006
【図６】
0004465573.tif 000007